(57)【要約】【課題】光源からの光を均一に分散させて照明光として出射させることで、明暗視認に基づいてランプイメージが視認されてしまうような不具合発生が生じ難い表示装置用照明装置を提供する。【解決手段】本発明の表示装置用照明装置は、並列配置された複数の管状光源１７と、前記管状光源１７の光出射側に配設された光拡散板１５と、を備え、前記管状光源１７は多角柱状にて構成され、その管側面１７ｂ，１７ｃが、光拡散板１５の板面１５ａに対して傾斜してなることを特徴とする。【選択図】図４
2008153161.tif 000002
【特許請求の範囲】
【請求項１】
並列配置された複数の管状光源と、前記管状光源の光出射側に配設された光拡散板と、を備え、
前記管状光源は多角柱状にて構成され、その管側面が、光拡散板の板面に対して傾斜してなることを特徴とする表示装置用照明装置。
【請求項２】
前記管状光源は、当該管状光源の配列間隔が相対的に狭い狭間隔部分と、相対的に広い広間隔部分とを有してなることを特徴とする請求項１に記載の表示装置用照明装置。
【請求項３】
前記狭間隔部分が当該管状光源の配列中央部側に形成され、前記広間隔部分が当該管状光源の配列端部側に形成されていることを特徴とする請求項２に記載の表示装置用照明装置。
【請求項４】
前記管状光源が三角柱状にて構成され、その三角柱の側面が前記光拡散板の板面に対して傾斜してなることを特徴とする請求項１ないし３のいずれか１項に記載の表示装置用照明装置。
【請求項５】
前記三角柱の第１頂部が前記光拡散板の板面側に指向する一方、当該第１頂部を構成する２つの側面が前記光拡散板の板面に対して傾斜してなることを特徴とする請求項４に記載の表示装置用照明装置。
【請求項６】
前記管状光源が軸断面菱形の四角柱状にて構成され、その菱形の側面が前記光拡散板の板面に対して傾斜してなることを特徴とする請求項１ないし３のいずれか１項に記載の表示装置用照明装置。
【請求項７】
前記軸断面菱形の四角柱の第１頂部が前記光拡散板の板面側に指向し、前記第１頂部を形成する２つの側面が前記光拡散板の板面に対して傾斜してなることを特徴とする請求項６に記載の表示装置用照明装置。
【請求項８】
前記管状光源の光出射側と反対側に光反射板が形成され、
前記第１頂部に対向する第２頂部が前記光反射板の板面側に指向し、前記第２頂部を形成する２つの側面が前記光反射板の板面に対して傾斜してなることを特徴とする請求項７に記載の表示装置用照明装置。
【請求項９】
前記光反射板には、隣接する前記管状光源の間に位置して山型反射部が形成されており、当該山型反射部は前記第２頂部を形成する２つの側面に対向する反射側傾斜面を備えることを特徴とする請求項８に記載の表示装置用照明装置。
【請求項１０】
前記反射側傾斜面と前記第２頂部を形成する２つの側面とが非平行に構成されていることを特徴とする請求項９に記載の表示装置用照明装置。
【請求項１１】
請求項１ないし１０のいずれか１項に記載の表示装置用照明装置と、
前記表示装置用照明装置からの光を利用して表示を行う表示パネルと、を備えることを特徴とする表示装置。
【請求項１２】
前記表示パネルが液晶を用いた液晶パネルであることを特徴とする請求項１１に記載の表示装置。
【発明の詳細な説明】
【技術分野】
【０００１】
本発明は、表示装置用照明装置、及びそれを用いた表示装置に関する。
【背景技術】
【０００２】
液晶表示装置に代表される非発光型の光学素子を用いた表示装置においては、液晶パネル等の表示パネルに対して光を照射すべく、当該表示パネルの背面にはバックライト装置が設けられている（例えば特許文献１参照）。
【特許文献１】特開２００３−２２８０６５公報
【発明の開示】
【発明が解決しようとする課題】
【０００３】
特許文献１には、液晶パネルに照射される光の均斉度を良くし、光の利用効率を高めることを目的とした技術が開示されている。具体的には、蛍光管の下に、当該蛍光管の長手方向に沿って光変向部材を設けることで、均斉度のよい光が拡散板に入射され得るとした技術が開示されている。
【０００４】
しかしながら、このような特許文献１に開示された技術を用いたとしても、蛍光管が円柱状であるため、ランプイメージが視認され易いという問題が生じる場合がある。つまり、円柱状の蛍光管から出射される光は光出射面側に均一に出射され難く、特に隣接する蛍光管同士の距離が大きいような場合、明暗がはっきりと視認され、ランプイメージとなって表示品位を低下させる場合があるのである。
【０００５】
本発明は、このような背景に基づいてなされたものであって、光源からの光を均一に分散させて照明光として出射させることで、明暗視認に基づいてランプイメージが視認されてしまうような不具合発生が生じ難い表示装置用照明装置を提供することを目的としている。また、本発明は、そのような表示装置用照明装置を用いた高画質の表示を実現可能な表示装置を提供することを目的としている。
【課題を解決するための手段】
【０００６】
上記課題を解決するために、本発明の表示装置用照明装置は、並列配置された複数の管状光源と、前記管状光源の光出射側に配設された光拡散板と、を備え、前記管状光源は多角柱状にて構成され、その管側面が、光拡散板の板面に対して傾斜してなることを特徴とする。
【０００７】
このような表示装置用照明装置によると、多角柱状の管状光源の管側面が、光拡散板の板面に対して傾斜する構成とされているため、当該光拡散板に対して広範囲に亘って均一に光が入射することとなり、管状光源の配列に沿った明暗が視認され難くなる。したがって、当該管状光源のイメージ（ランプイメージ）が視認される不具合が生じ難いものとなり、均一な光を照射することが可能な高品質の表示装置用照明装置を提供することが可能となる。
【０００８】
前記管状光源は、当該管状光源の配列間隔が相対的に狭い狭間隔部分と、相対的に広い広間隔部分とを有してなるものとすることができる。このように狭間隔部分と広間隔部分とを設けることにより、管状光源の配列位置に応じて照明輝度を異ならせることが可能となる。つまり、狭間隔部分においては高輝度の照明光を、広間隔部分においては相対的に低い輝度の照明光を供することが可能となる。
【０００９】
前記狭間隔部分が当該管状光源の配列中央部側に形成され、前記広間隔部分が当該管状光源の配列端部側に形成されているものとすることができる。
このように配列中央部側において管状光源の配列間隔を狭くすれば、当該配列中央部側において輝度を向上させることが可能となる。特に表示装置においては中央部分を明るくしたい場合が多いため、中央部分において管状光源を密集させ、端部分において管状光源を散在させることで、コストを削減させつつ必要な箇所に対して効率良く光を照射することが可能となる。そして、このように位置毎に配列間隔を異ならせた構成においては、配列間隔が相対的に広くなる配列端部側においては、一般的に明暗が視認され易く、当該管状光源のイメージ（ランプイメージ）が視認される可能性が高くなり得る。ところが、本発明においては、管側面を光拡散板の板面に対して傾斜させた構成としているため、光拡散板に対して広範囲に亘って均一に光を入射させることが可能となり、そのような不具合発生が生じ難いものとなるのである。
【００１０】
上記本発明の表示装置用照明装置において、前記管状光源が三角柱状にて構成され、その三角柱の側面が前記光拡散板の板面に対して傾斜してなるものとすることができる。
この場合、管側面の傾斜面を三角柱の側面が構成し、その三角柱の側面が、光拡散板の板面に対して傾斜する構成とされているため、光出射側に配設される当該光拡散板に対して広範囲に亘って均一に光が入射することとなり、管状光源の配列に沿った明暗が視認され難くなる。したがって、当該管状光源のイメージ（ランプイメージ）が視認される不具合が生じ難いものとなり、その結果、均一な光を照射することが可能な高品質の表示装置用照明装置を提供することが可能となる。
【００１１】
上記構成において、前記三角柱の第１頂部が前記光拡散板の板面側に指向する一方、当該第１頂部を構成する２つの側面が前記光拡散板の板面に対して傾斜してなるものとすることができる。
この場合、第１頂部を構成する２つの側面（第２側面、第３側面）が、光拡散板側に指向し、しかも当該光拡散板の板面に対して傾斜してなるため、当該管状光源から出射される光は、光拡散板に対して広範囲に亘って均一に入射することとなり、管状光源の配列に沿った明暗が視認され難くなる。したがって、当該管状光源のイメージ（ランプイメージ）が視認される不具合が生じ難いものとなり、その結果、均一な光を照射することが可能な高品質の表示装置用照明装置を提供することが可能となる。
【００１２】
他方、前記管状光源が軸断面菱形の四角柱状にて構成され、その菱形の側面が前記光拡散板の板面に対して傾斜してなるものとすることができる。
この場合、管側面を菱形の側面が構成し、その側面が、光拡散板の板面に対して傾斜する構成とされているため、光出射側に配設される当該光拡散板に対して広範囲に亘って均一に光が入射することとなり、管状光源の配列に沿った明暗が視認され難くなる。したがって、当該管状光源のイメージ（ランプイメージ）が視認される不具合が生じ難いものとなり、その結果、均一な光を照射することが可能な高品質の表示装置用照明装置を提供することが可能となる。
【００１３】
上記構成において、前記軸断面菱形の四角柱の第１頂部が前記光拡散板の板面側に指向し、前記第１頂部を形成する２つの側面（第１側面及び第２側面）が前記光拡散板の板面に対して傾斜してなるものとすることができる。
このように、菱形の四角柱の第１頂部を光拡散板の板面側に指向することで、当該第１頂部を形成する第１側面及び第２側面を光拡散板の板面に対して好適に傾斜させることが可能となり、当該管状光源から出射される光を、光拡散板に対して広範囲に亘って均一に入射させることができるため、管状光源の配列に沿った明暗が視認され難くなる。したがって、当該管状光源のイメージ（ランプイメージ）が視認される不具合が生じ難いものとなり、その結果、均一な光を照射することが可能な高品質の表示装置用照明装置を提供することが可能となる。
【００１４】
また、上記構成において、前記管状光源の光出射側と反対側に光反射板が形成され、前記第１頂部に対向する第２頂部が前記光反射板の板面側に指向し、前記第２頂部を形成する２つの側面（第３側面及び第４側面）が前記光反射板の板面に対して傾斜してなるものとすることができる。
この場合、菱形の側面から出射される光は、光出射面側或いは光反射面側のいずれかとされ、特に第２頂部が光反射板の板面側に指向し、当該第２頂部を形成する２つの第３側面及び第４側面が光反射板の板面に対して傾斜してなるため、光反射板に対しても広範囲に亘って均一に光を入射させることができるようになる。そして、その反射光は、光拡散板側に広範囲に亘って均一に入射することとなり、その結果、管状光源の配列に沿った明暗が視認され難くなる。したがって、当該管状光源のイメージ（ランプイメージ）が視認される不具合が生じ難いものとなり、均一な光を照射することが可能な高品質の表示装置用照明装置を提供することが可能となる。
【００１５】
前記光反射板には、隣接する前記管状光源の間に位置して山型反射部が形成されており、当該山型反射部は前記第２頂部を形成する２つの側面（第３側面及び第４側面）に対向する反射側傾斜面を備えるものとすることができる。
この場合、管状光源の第３側面及び第４側面から出射された光を山型反射部の反射側傾斜面にて好適に反射することが可能となる。そして、その反射光を光出射面から出射させて照明光と利用することにより光利用効率が向上することとなる。特に、隣接する管状光源の間に当該山型反射部を形成することで、山型の各傾斜面を隣接する管状光源の各々に指向させることが可能となり、構成上も効率良いものとなる。
【００１６】
上記構成において、前記反射側傾斜面と前記第２頂部を形成する２つの側面（第３側面及び第４側面）とが非平行に構成されているものとすることができる。
この場合、第３側面及び第４側面から出射された光を、当該側面に反射させてしまう不具合を解消することが可能となる。各側面から出射された光を当該側面に反射させてしまうと、光を照明光として利用することはできない。そこで、反射側傾斜面と各側面とを非平行にすることで、反射光を各側面とは異なる方向（具体的には光出射面方向）に指向させることが可能となり、光利用効率の向上に寄与することが可能となる。
【００１７】
また、前記管状光源は、前記光反射板を含むケース部材に対して取り付けられたクリップ状の光源保持部材により保持されており、前記光源保持部材は、前記管状光源の管側面が前記光拡散板の板面に対して傾斜した状態でのみ前記管状光源を保持可能に構成されているものとすることができる。
この場合、管状光源を光源保持部材に保持させることで、管状光源の管側面を、光拡散板の板面に対して傾斜させることが可能となる。具体的には、管側面が光拡散板の板面に対して傾斜する場合にのみ管状光源を保持可能に構成すれば良い。例えば、光源保持部材の保持部に光拡散板の板面に対して傾斜する傾斜面を形成しておき、当該傾斜面と管側面とが重なり合う場合のみ保持力が掛かるものとし、重なり合わない場合には保持力が掛からず、保持部から管状光源が抜け出るものとすることができる。
【００１８】
次に、上記課題を解決するために、本発明の表示装置は、上記記載の表示装置用照明装置と、前記表示装置用照明装置からの光を利用して表示を行う表示パネルと、を備えることを特徴とする。
【００１９】
このような表示装置によると、表示パネルに対して光を供給する表示装置用照明装置が上記本発明に係るものであるため、輝度ムラが少なく、ランプイメージが視認され難い高品質の表示を実現可能となる。
【００２０】
前記表示パネルとしては液晶パネルを例示することができる。このような表示装置は液晶表示装置として、種々の用途、例えばテレビやパソコンのデスクトップ画面等に適用でき、特に大型画面用として好適である。
【発明の効果】
【００２１】
本発明によると、光源からの光を均一に分散させて照明光として出射させることで、明暗視認に基づいてランプイメージが視認されてしまうような不具合発生が生じ難い表示装置用照明装置を提供することが可能となる。また、そのような表示装置用照明装置を用いた高画質の表示を実現可能な表示装置を提供することが可能となる。
【発明を実施するための最良の形態】
【００２２】
以下、本発明を具体化した実施形態について、図面を参照しつつ説明する。
図１は本発明の実施形態に係る液晶表示装置の概略構成を示す分解斜視図、図２は同じく液晶表示装置の概略構成を示す断面図、図３は冷陰極管（管状光源）及びランプクリップの概略構成を示す正面図、図４は本実施形態の液晶表示装置のバックライト装置が奏する作用効果を示す説明図である。また、図５は液晶表示装置の一変形例を示す断面図であり、図６は図５のバックライト装置が奏する作用効果を示す説明図である。
【００２３】
まず、液晶表示装置（表示装置）１０の全体構成について説明する。液晶表示装置１０は、図１及び図２に示すように、矩形をなす液晶パネル１１と、外部光源であるバックライト装置１２とを備え、これらがベゼル１３などにより一体的に保持されるようになっている。このうち、液晶パネル１１は、一対のガラス基板が所定のギャップを空けた状態で貼り合わせられるとともに、両ガラス基板間に液晶が封入された構成とされる。一方のガラス基板には、互いに直交するソース配線とゲート配線とに接続されたスイッチング素子（例えばＴＦＴ）と、そのスイッチング素子に接続された画素電極等が設けられ、他方のガラス基板には、対向電極と、Ｒ，Ｇ，Ｂ等の各色からなるカラーフィルタ等が設けられている。
【００２４】
次に、バックライト装置１２について説明する。なお、バックライト装置１２は、所謂直下型のバックライト装置であって、液晶パネル１１のパネル面（表示面）の背面直下に、当該パネル面に沿って光源（ここでは冷陰極管１７）が並列配置された構成を具備している。
バックライト装置１２は、上面側が開口した略箱型をなす金属製のベース（ケース部材）１４と、ベース１４の開口部を覆うようにして取り付けられる複数の光学部材１５（図示下側から順に拡散板、拡散シート、レンズシート、光学シート）と、これら光学部材１５をベース１４に保持するためのフレーム１６と、ベース１４内に収容されるランプである冷陰極管（管状光源）１７と、冷陰極管１７群を一括して覆うランプホルダ１９と、冷陰極管１７における両端部を除いた途中の部分を保持するためのランプクリップ２０とを備える。なお、当該バックライト装置１２においては、冷陰極管１７よりも光学部材１５側が光出射側となっている。
【００２５】
略箱型のベース１４は金属製板金よりなり、そのベース１４の内面側（光源側）には光反射シートにより反射面１４ａが形成されている。このような反射面１４ａを含むベース（光反射板）１４により、冷陰極管１７から出射された光を拡散板等の光学部材１５（以下、拡散板１５等とも言う）側に反射させることが可能となっている。なお、ベース１４自体を光反射性の金属板状体を板金加工したものから構成することで、反射シートを形成しない状態で反射面１４ａを付与することもできる。
【００２６】
冷陰極管１７は、一方向に細長い管状をなしており、その長さ方向（軸線方向）をベース１４の長辺方向に一致させた状態で、且つ多数本（図１では１８本）互いに平行に並んだ状態（並列配置した状態）でベース１４内に収容されるようになっている。特に、ベース１４が具備する光反射面１４ａに対して、冷陰極管１７の並列方向が平行となるように配列されており、また拡散板等を含む光学部品１５の板面（光出射面）１５ａに対しても当該並列方向は平行とされている。なお、ベース１４の光反射面１４ａと、光学部品１５の板面１５ａとは平行に設置されている。また、各冷陰極管１７は、その配列間隔が、その配列中央部側において、配列端部側よりも狭くされており、つまり液晶パネル１１のパネル中央部の裏面側においては冷陰極管１７の配列間隔が狭く形成され、液晶パネル１１のパネル上下端部側においては冷陰極管１７の配列間隔が広く形成されている。
【００２７】
また、各冷陰極管１７は断面三角形の所謂三角柱状を呈しており、その三角柱を構成する２つの管側面１７ｂ，１７ｃが、図４に示すように拡散板１５等の板面１５ａに対して傾斜する態様で、ベース１４内に配設されている。具体的には、三角柱の冷陰極管１７の第１頂部１７ａが拡散板１５等の板面１５ａ側に指向する一方、第１頂部１７ａに対向する側面１７ｄがベース１４の反射面１４ａ側に指向してなり、残る２つの側面（つまり第１頂部１７ａを形成する側面）１７ｂ，１７ｃが拡散板１５等の板面１５ａに対して傾斜するように配設されている。
【００２８】
一方、ランプクリップ２０はクリップ状の光源保持部材として機能し、合成樹脂製（例えばポリカーボネート製）とされており、図３に示すように、ベース１４の底部の壁面に宛われる取付板２１を備え、この取付板２１に係止部２２、ランプ保持部２３等を設けた構成とされている。ランプクリップ２０は、各冷陰極管１７を長さ方向に異なる２箇所または３箇所で保持できるよう、ベース１４に対して複数取り付けられるようになっている。
【００２９】
各ランプクリップ２０は、冷陰極管１７の管側面（傾斜面）１７ｂ，１７ｃを拡散板１５等の板面１５ａに対して傾斜させた状態でのみ、冷陰極管１７を保持可能に構成されている。具体的には、ランプクリップ２０のランプ保持部２３に、拡散板１５等の板面１５ａに対して傾斜する傾斜面２３ａを形成しておき、当該傾斜面２３ａと管側面１７ｂ，１７ｃとが重なり合う場合にのみ、冷陰極管１７に対する保持力が掛かるものとし、重なり合わない場合には保持力が掛からず、ランプ保持部２３から冷陰極管１７が抜け出るものとしている。ここでは、ランプ保持部２３を弾性部材により構成し、冷陰極管１７の完全な挿入に基づく弾性復帰により、上記のような保持力が掛かり、一方、完全に挿入されない場合や傾斜面２３ａと管側面１７ｂ，１７ｃとが重なり合わない場合等には、その弾性力によって冷陰極管１７がランプ保持部２３から抜け出てしまうものとなっている。このような構成により、冷陰極管１７をランプクリップ２０のランプ保持部２３に保持させることのみで、簡便に冷陰極管１７の管側面１７ｂ，１７ｃを拡散板１５等の板面１５ａに対して傾斜させることが可能となる。
【００３０】
また、ランプクリップ２０の取付板２１は、ベース１４の短辺方向（冷陰極管１７の長さ方向と直交する方向）に沿って細長い矩形に形成されている。取付板２１の下面（ベース１４との対向面、ベース１４に対する被着面）には、図３に示すように、ランプクリップ２０をベース１４に対して固定するための係止部２２が下方（ベース１４側）へ突出して設けられている。
【００３１】
一方、係止部２２は、取付板２１の下面から垂設された基部２５と、基部２５の先端部から斜め上方へ向けて延出する一対の弾性係止片２６とから構成される。両弾性係止片２６は、基部２５の先端部両側面に連結された片持ち状に形成され、その連結部分を支点として基部２５に対して接離する方向に沿って弾性変形可能とされる。この係止部２２は、ベース１４における対応位置に貫通して設けられた各取付孔１４ａに対して挿入可能とされるとともに、弾性係止片２６における先端部に形成された段部が取付孔１４ａにおける裏側の周縁に対して係止可能とされ、ここがベース１４に対する係止面２６ａとなっている。
【００３２】
取付板２１の上面（冷陰極管１７との対向面、ベース１４の開口部側の面）には、冷陰極管１７のうち長さ方向両端部を除いた途中部分を保持するためのランプ保持部２３が上方へ突出して設けられている。ランプ保持部２３は、全体として冷陰極管１７の周面を取り囲むことが可能で、且つ冷陰極管１７の着脱を許容すべく上方へ開口した有端環状に形成されている。また取付板２１の下面には、取り付け時にベース１４の上面に対して当接可能な当接部３５，３６が下方へ突出して設けられている。
【００３３】
本実施形態の液晶表示装置は以上のような構成であり、続いてその作用及び効果を説明する。
まず、本実施形態の液晶表示装置１０では、バックライト装置１２において、複数の三角柱状の冷陰極管１７が並列配置され、その冷陰極管１７の光出射側には拡散板１５等が配設されており、三角柱状の冷陰極管１７の管側面１７ｂ，１７ｃが、拡散板１５等の板面１５ａに対して傾斜して配設されている（図４参照）。したがって、拡散板１５に対して広範囲に亘って均一に光が入射することとなり、冷陰極管１７の配列に沿った明暗が視認され難くなる。その結果、当該冷陰極管１７のイメージ（ランプイメージ）が視認される不具合が生じ難いものとなり、均一な光を液晶パネル１１に対して照射することが可能とされている。
【００３４】
特に、三角柱の第１頂部１７ａが拡散板１５の板面１５ａ側に指向する一方、当該第１頂部１７ａを構成する２つの側面１７ｂ，１７ｃが拡散板１５の板面１５ａに対して傾斜するものとされている。したがって、第１頂部１７ａを構成する２つの側面（第２側面１７ｂ、第３側面１７ｃ）が、拡散板１５側に指向し、しかも当該拡散板１５の板面１５ａに対して傾斜してなるため、当該冷陰極管１７から出射される光は、拡散板１５に対して広範囲に亘って均一に入射することとなり、冷陰極管１７の配列に沿った明暗が視認され難いものとなる。その結果、当該冷陰極管１７のイメージ（ランプイメージ）が視認される不具合が生じ難いものとなり、均一な光を液晶パネル１１に対して照射することが可能とされている。
【００３５】
また、本実施形態の液晶表示装置１０においては、冷陰極管１７の配列間隔が、その配列中央部側において、配列端部側よりも狭くされている。したがって、当該冷陰極管１７配列中央部側において輝度を向上させることが可能となる一方、端部側においては配列間隔を広くすることで冷陰極管１７の本数を減らし、コスト削減を実現している。さらに、通常、配列間隔が相対的に広くなる配列端部側においては明暗が視認され易く、当該冷陰極管１７のイメージ（ランプイメージ）が視認される可能性が高くなり得る。しかしながら、本実施形態においては、冷陰極管１７の管側面を拡散板１５等の板面１５ａに対して傾斜させているため、拡散板１５等に対して広範囲に亘って均一に光を入射させることが可能となり、そのような不具合発生が生じ難いものとなる。
【００３６】
以上、本発明に係る実施の形態を示したが、本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００３７】
図５は、液晶表示装置が備えるバックライト装置の一変形例を示す断面模式図で、図６はその作用効果を示す説明図である。なお、図５及び図６において、図３及び図４に示したバックライト装置１２の各種構成部材と同様の構成部材については、同一の符号を付し、説明を省略するものとする。
図５のバックライト装置１２Ａにおいては、管状光源たる冷陰極管７０が、軸断面菱形の四角柱状に構成され、その菱形の側面７５，７６が拡散板１５等の板面１５ａに対して傾斜している。具体的には、軸断面菱形の四角柱の第１頂部７１が光反射面１４ａ側に指向する一方、当該第１頂部７１に対向する第２頂部７２が拡散板１５等側に指向してなる。そして、第１頂部７１を形成する２つの側面７３，７４がベース１４の光反射面１４ａに対して傾斜して構成される一方、第２頂部７２を形成する２つの側面７５，７６が拡散板１５等の板面１５ａに対して傾斜して構成されている。
【００３８】
また、バックライト装置１２Ａにおいては、光反射板を構成するベース１４には山型反射部４４が形成されている。この山型反射部４４は、隣接する冷陰極管１７の間に位置してなり、管側面７３，７４に対向する傾斜面（反射側傾斜面）４５，４６を備えて構成されている。また、特にこの傾斜面４５，４６は管側面１７ｂ，１７ｃに対して非平行となるように構成されている。
【００３９】
このようなバックライト装置１２Ａによると、菱形の側面７３，７４，７５，７６から出射される光は、拡散板１５の板面（光出射面）１５ａ側或いは光反射面１４ａ側のいずれかとされる。そして、管側面を構成する各面７３，７４，７５，７６は、光出射面１５ａ及び光反射面１４ａのいずれに対しても傾斜してなるため、管側面から直接板面１５ａに入射する光、及び光反射面１４ａから反射して板面１５ａ側に入射する光のいずれもが、拡散板１５等に対して広範囲に亘って均一に光が入射することとなり、冷陰極管１７の配列に沿った明暗が視認され難いものとなる。したがって、当該冷陰極管１７のイメージ（ランプイメージ）が視認される不具合が生じ難いものとなり、その結果、均一な光を液晶パネル１１に対して照射することが可能とされている。
【００４０】
また、バックライト装置１２Ａにおいては、山型反射部４４が具備されているため、冷陰極管７０の管側面７３，７４から出射された光を、山型反射部４４の傾斜面４５，４６にて好適に反射することが可能となる。特に、管側面７３，７４と傾斜面４５，４６とが非平行とされているため、管側面７３，７４から出射された光を、当該管側面７３，７４に反射させてしまう不具合が生じ難いものとされている。管側面７３，７４から出射された光を当該管側面７３，７４に反射させてしまうと、光を照明光として利用することはできない。そこで、管側面７３，７４と傾斜面４５，４６とを非平行にすることで、反射光を管側面７３，７４とは異なる方向（具体的には光出射面１５ａ方向）に指向させることが可能となり、光利用効率の向上に寄与することが可能とされている。
【００４１】
以上のような変形例に加え、上記した実施形態では管状光源として冷陰極管１７，７０を使用した場合を示したが、例えば熱陰極管など他の種類の管状光源を用いたものも本発明に含まれる。また、ランプクリップ２０について、複数の光源を一括して保持する構成としたが、個々の光源を別個に保持するクリップであっても良い。
【００４２】
その他、本発明は、ＴＦＴ以外のスイッチング素子を用いた液晶表示装置にも適用可能であり、カラー表示する液晶表示装置以外にも、白黒表示する液晶表示装置にも適用可能である。さらに、上記した実施形態では、液晶表示装置を示したが、液晶以外でバックライト装置を用いる他の表示装置にも本発明は適用可能である。
【図面の簡単な説明】
【００４３】
【図１】本発明の実施形態に係る液晶表示装置の概略構成を示す分解斜視図。
【図２】図１の液晶表示装置の断面図。
【図３】ランプクリップの概略構成を示す正面図。
【図４】バックライト装置の作用効果について示す説明図。
【図５】液晶表示装置のバックライト装置の一変形例を示す正面図。
【図６】図５のバックライト装置について、その構成及び作用効果を示す説明図。
【符号の説明】
【００４４】
１０…液晶表示装置（表示装置）、１１…液晶パネル（表示パネル）、１２…バックライト装置（表示装置用照明装置）、１４…ベース（光反射板）、１５…光学部品（拡散板等、光拡散板）、１５ａ…板面（光出射面）、１７…冷陰極管（管状光源）、１７ｂ，１７ｃ…管側面（傾斜面）
【図１】
2008153161.tif 000003
【図２】
2008153161.tif 000004
【図３】
2008153161.tif 000005
【図４】
2008153161.tif 000006
【図５】
2008153161.tif 000007
【図６】
2008153161.tif 000008